(57)【特許請求の範囲】
【請求項１】
少なくとも一つのベース部を有するボックスファイルにおいて、
前記ベース部の前端側には、別体の見出し部材を装着可能な見出し装着部が設けられる一方、前記ベース部の後端側には、前記見出し部材を収納可能な見出し収納部が設けられ、
前記見出し部材は、前記見出し装着部に設置される設置片と、この設置片の一端縁側から起立する方向に延びるとともに、見出し面が形成された起立片とからなり、
前記見出し収納部は、前記ベース部の後端側に形成されたコーナー領域に沿って設けられ、当該コーナー領域に沿って前記見出し部材が収納されることを特徴とするボックスファイル。
【請求項２】
少なくとも一つのベース部を有するボックスファイルにおいて、
前記ベース部の前端側には、別体の見出し部材を装着可能な見出し装着部が設けられる一方、前記ベース部の後端側には、前記見出し部材を収納可能な見出し収納部が設けられ、
前記ベース部は、収納対象物の受け面と、この受け面の前端側に設けられ、当該受け面よりも落ち込んだ座部とによって構成され、
前記見出し部材は、前記見出し装着部に設置される設置片と、この設置片の一端縁側から起立する方向に延びるとともに、見出し面が形成された起立片とからなり、
前記見出し装着部は、前記座部に設けられ、当該座部に前記設置片が設置されると、前記ベース部上に所定の間隔をもって相対する側壁の前端間に前記起立片が配置されることを特徴とするボックスファイル。
【請求項３】
前記見出し部材は、見出し装着部に装着されたときに見出し面が正面側に表出可能に設けられる一方、見出し収納部に収納されたときに見出し面が背面側に表出可能に設けられていることを特徴とする請求項２記載のボックスファイル。
【請求項４】
前記見出し装着部には、前記座部との間に前記設置片を挟み込み可能な浮上防止手段が設けられ、この浮上防止手段と座部との間に前記設置片が差し込まれたときに、当該設置片の浮上が規制されることを特徴とする請求項２又は３記載のボックスファイル。
【請求項５】
前記見出し収納部は、前記ベース部の後端側に形成されたコーナー領域に沿って設けられ、当該コーナー領域に沿って前記見出し部材が収納されることを特徴とする請求項２，３又は４記載のボックスファイル。
【請求項６】
前記見出し収納部は、前記ベース部の後端よりも外側に突出するコーナー枠部材によって区画され、このコーナー枠部材で囲まれる領域に前記見出し部材が収納されることを特徴とする請求項１又は５記載のボックスファイル。
【請求項７】
前記コーナー枠部材は、前記見出し部材が収納されたときに、当該見出し部材との間に指掛け用の隙間が形成可能に設けられていることを特徴とする請求項６記載のボックスファイル。
【請求項８】
前記見出し収納部には、前記見出し部材の挿入方向に延びるガイドレールが設けられ、このガイドレールに沿って前記見出し部材が見出し収納部に差し込み可能に設けられていることを特徴とする請求項１〜７の何れかに記載のボックスファイル。
【請求項９】
前記見出し部材は、見出し面に所定の見出しカードを着脱自在に保持するカード挿入部が形成され、このカード挿入部には、前記見出し面の反対側に通じる指掛け穴が設けられ、前記見出しカードがカード挿入部に挿入されると、前記指掛け穴が前記見出し面側から隠蔽されることを特徴とする請求項１〜８の何れかに記載のボックスファイル。
【発明の詳細な説明】
【０００１】
【発明の属する技術分野】
本発明はボックスファイルに係り、更に詳しくは、収納対象物の種類等を表示するための別体の見出し部材を必要に応じて装着できる一方、不要時に別異の場所に収納可能なボックスファイルに関する。
【０００２】
【従来の技術】
近時において、オフィス等における書類収納に際し、内部に一定の収納空間を備えたボックスファイルが多く利用されている。このボックスファイルは、底壁と、当該底壁の左右両端から起立する一対の側壁と、これら底壁及び側壁の各後端に連なって設けられた後壁とを備え、上部側から正面側が開放形状に設けられて内部に一定の収納空間が形成されている。
【０００３】
ところで、前記ボックスファイルの中には、例えば、その中の収納対象物の種類を区別するために、前記側壁の前端側間に別体の見出し部材が着脱自在に装着可能なものや、前記側壁の前端側間に見出し部材が適宜なヒンジを介して一体的に設けられたものが知られている。
【０００４】
【発明が解決しようとする課題】
しかしながら、このようなボックスファイルのうち見出し部材が着脱可能なものにあっては、見出し部材の不要時に側壁の前端間を開放し、収納対象物の出し入れをスムースに行うというところに意義があるが、見出し部材が独立した別部材によって構成されているため、前記見出し装着部に見出し部材を装着しない場合に、当該見出し部材を机の引出し等の別の場所に収納しておかなければならない。これがために、見出し部材の紛失が多々発生し、再度、見出し部材を装着できなくなる虞がある。この場合に、見出し部材の紛失防止のため、見出し装着部に見出し部材を装着したままにしておくことも考えられるが、不要な見出し部材が側壁の前端側間に位置することとなって、見出し部材を別体にした前述の意義が失われてしまう。
【０００５】
一方、見出し部材が一体的に設けられたボックスファイルにあっては、外観形状が複雑となるため、樹脂等によって一体成形する際にその加工性が悪く、これが、生産効率の低下をもたらし、製品コストに直接反映されてしまうという不都合がある。また、環境対応のリサイクル時においても、ヒンジ部など薄肉となる部位の成形性の悪さに起因して再生材料を使用することができないという不都合もある。
【０００６】
【発明の目的】
本発明は、かかる不都合に着目して案出されたものであり、その目的は、見出し部材の紛失の虞を軽減することができ、且つ、再生材料を用いても成形上の問題を生ずることなく成形可能なボックスファイルを提供することにある。
【０００７】
【課題を解決するための手段】
前記目的を達成するため、本発明は、少なくとも一つのベース部を有するボックスファイルにおいて、
前記ベース部の前端側には、別体の見出し部材を装着可能な見出し装着部が設けられる一方、前記ベース部の後端側には、前記見出し部材を収納可能な見出し収納部が設けられ、
前記見出し部材は、前記見出し装着部に設置される設置片と、この設置片の一端縁側から起立する方向に延びるとともに、見出し面が形成された起立片とからなり、
前記見出し収納部は、前記ベース部の後端側に形成されたコーナー領域に沿って設けられ、当該コーナー領域に沿って前記見出し部材が収納される、という構成を採っている。このような構成によれば、見出し部材を別体にすることができるため、ボックスファイルを一体的に成型する際の加工性が良好である他、見出し収納部によって、見出し部材を使用しないときには、ボックスファイルに付随して見出し部材を収納でき、その紛失の虞を軽減することができる。しかも、見出し収納部は、ベース部の後端側に設けられているため、見出し部材を使用しない場合には、ベース部の下部前端側を開放状態に保つことができる。また、側面視略Ｌ字状となる見出し部材を収納する際であっても、比較的単純な構成で、見出し部材をボックスファイルにすっきりと収納することができる。
また、本発明は、少なくとも一つのベース部を有するボックスファイルにおいて、
前記ベース部の前端側には、別体の見出し部材を装着可能な見出し装着部が設けられる一方、前記ベース部の後端側には、前記見出し部材を収納可能な見出し収納部が設けられ、
前記ベース部は、収納対象物の受け面と、この受け面の前端側に設けられ、当該受け面よりも落ち込んだ座部とによって構成され、
前記見出し部材は、前記見出し装着部に設置される設置片と、この設置片の一端縁側から起立する方向に延びるとともに、見出し面が形成された起立片とからなり、
前記見出し装着部は、前記座部に設けられ、当該座部に前記設置片が設置されると、前記ベース部上に所定の間隔をもって相対する側壁の前端間に前記起立片が配置される、という構成も採用される。これによれば、見出し部材が見出し装着部に装着された状態では、起立片が側壁から突出することなく配置されるとともに、設置片の上面を、受け面に連なる収納対象物の載置面として利用することができ、これらによって、見出し部材の不用意な脱落が防止され、安定した見出し効果を維持することができる。
【０００８】
【発明の実施の形態】
本発明における見出し部材は、見出し装着部に装着されたときに見出し面が正面側に表出可能に設けられる一方、見出し収納部に収納されたときに見出し面が背面側に表出可能に設けられる、という構成を採ることが好ましい。このように構成することで、ボックスファイルの背面側にも見出し効果を付与させることができ、ボックスファイルの背面側を手前にして設置する使用態様にも十分対応することができる。
【０００９】
また、前記見出し装着部には、前記座部との間に前記設置片を挟み込み可能な浮上防止手段が設けられ、この浮上防止手段と座部との間に前記設置片が差し込まれたときに、当該設置片の浮上が規制される、という構成を採用するとよい。これにより、見出し装着部に装着されたときの見出し部材の不用意な脱落を一層防止することができる。
【００１０】
また、前記見出し収納部は、前記ベース部の後端側に形成されたコーナー領域に沿って設けられ、当該コーナー領域に沿って前記見出し部材が収納される、という構成が採用される。ここで、前記見出し収納部は、前記ベース部の後端よりも外側に突出するコーナー枠部材によって区画され、このコーナー枠部材で囲まれる領域に前記見出し部材が収納される、という構成を採用するとよい。これにより、見出し収納部に収納された見出し部材に直接外部から不用意な力が掛かりにくくなり、見出し部材の不用意な脱落を一層防止することができる。また、前記コーナー枠部材は、前記見出し部材が収納されたときに、当該見出し部材との間に指掛け用の隙間が形成可能に設けられる、という構成も併せて採用することができる。このような構成によれば、見出し収納部に見出し部材が収納されているときに、当該見出し部材とコーナー枠部材との間に形成される隙間に指を掛けながら、見出し部材を取り出すことができ、その取り出しを容易に行うことができる。
【００１１】
更に、前記見出し収納部には、前記見出し部材の挿入方向に延びるガイドレールが設けられ、このガイドレールに沿って前記見出し部材が見出し収納部に差し込み可能に設けられる、という構成が好ましくは採用される。このような構成によって、見出し収納部への見出し部材の挿入をスムースに行うことができる。
【００１２】
また、前記見出し部材は、見出し面に所定の見出しカードを着脱自在に保持するカード挿入部が形成され、このカード挿入部には、前記見出し面の反対側に通じる指掛け穴が設けられ、前記見出しカードがカード挿入部に挿入されると、前記指掛け穴が前記見出し面側から隠蔽される、という構成が好ましくは採用される。このような構成によれば、指掛け穴によって、カード挿入部に挿入された見出しカードの取り外しを容易に行うことができる他、見出しカードの装着時に、指掛け穴が見出し面側から隠蔽されるため、見出し部材の外観上の体裁を良好に保持することができる。
【００１３】
なお、本明細書において、「前」、「後」、「左」、「右」、「正面」、「背面」等の位置的或いは方向的記載は、特に明記しない限り、図１に示されるボックスファイルの使用状態において、その開放部分を手前から見た位置を基準として用いることとする。
【００１４】
【実施例】
以下、本発明の実施例を図面を参照しながら説明する。
【００１５】
図１には、本実施例に係るボックスファイルの概略斜視図が示され、図２には、その要部拡大分解斜視図が示されている。これらの図において、ボックスファイル１０は、ベース部としての底壁１１と、この底壁１１の後端位置で起立方向に連なるベース部としての後壁１２と、これら底壁１１及び後壁１２の左右方向両端側にそれぞれ連なるとともに、側面視三角形に近似した一対の側壁１３，１３とを備えて構成されている。このボックスファイル１０は全体として上方から正面側の領域が開放する形状に設けられ、正面側より、図示省略した収納対象物となる書類等の出し入れが行えるようになっている。なお、本実施例では、前記底壁１１側が机上等への設置部分となる態様でボックスファイル１０を用いる場合を示しているが、前記後壁１２側が机上等への設置部分となる態様で利用することもできる。従って、後壁１２側が設置部分として作用するときは、底壁１１が実質的に後壁として作用することとなる。
【００１６】
前記底壁１１は、収納対象物の受け面１５と、この受け面１５の前端側に連なって設けられるとともに、当該受け面１５よりも落ち込んだ座部１６とからなっている。この座部１６は、後述するように、独立した別体の見出し部材１７を装着可能な見出し装着部１９として作用するようになっている。また、底壁１１の後端側には、前記見出し部材１７を収納可能な見出し収納部２０が設けられている。
【００１７】
見出し部材１７は、図２〜図６に示されるように、側面視略Ｌ字状に設けられている。具体的には、平面視略長方形状の設置片２２と、この設置片２２の一端縁側から起立する方向に連なって延びる平面視略長方形状の起立片２３とによって構成されている。設置片２２は、その長寸幅方向の略中央に、その厚み方向に貫通する貫通穴２５が形成されている。また、貫通穴２５の前記長寸幅方向両側位置には、当該貫通穴２５よりも小径となる凹状の穴２６が形成されている。
【００１８】
前記起立片２３は、設置片２２と反対側に位置する見出し面２７に、正面視略長方形の凹状となるカード挿入部３０が形成される一方、その反対側の面すなわち設置片２２側の面における長寸幅方向両端側に、スリット穴３１，３１が形成されている。ここで、カード挿入部３０は、見出しカードＣを嵌め込むことができるようになっており、カード挿入部３０の図５中左右両端側は、その裏側の面に形成されたスリット穴３１，３１に貫通し、これによって、カード挿入部３０に見出しカードＣが挿入されると、その端部が各スリット穴３１，３１に差し込まれ、見出しカードＣはカード挿入部３０にしっかりと保持される。また、カード挿入部３０の略中央には、その反対側の面に貫通する指掛け穴３３が形成されており、見出しカードＣが装着された状態で、見出し面２７の反対側から指を差し入れると、見出しカードＣが部分的に浮き上がり、これによって、見出しカードＣの取り外しを容易に行うことができる。しかも、見出しカードＣがカード挿入部３０に挿入された状態では、指掛け穴３３が見出し面２７側から隠蔽されるようになっている。
【００１９】
前記見出し装着部１９は、その正面図、平面図、断面側面図である図７〜図９にも示されるように、前記座部１６と、この座部１６の略中央位置に設けられた突起３４と、前記側壁１３，１３側で受け面１５の前端に連なる浮上防止手段としての浮上防止片３６とを備えて構成されている。
【００２０】
前記座部１６は、前記見出し部材１７の設置片２２（図３参照）が着座可能となる平面寸法になっており、具体的には、座部１６の左右方向幅が設置片２２の長寸方向幅と略同一或いは若干幅広に設定されているとともに、その前後方向幅が設置片２２の短寸幅と略同一或いは若干幅広に設定されている。すなわち、設置片２２を座部１６に設置すると、そこに設置片２２が略ぴったり収まるようになっている。
【００２１】
前記突起３４は、座部１６に設置片２２を設置したときに、当該設置片２２の貫通穴２５に嵌まり合う位置及び大きさに設けられている。また、突起３４の形状は、特に限定されるものではないが、本実施例では、上端に平坦な領域を有する山型に設けられており、その外周部分は、図９に示されるように、同図左側すなわち座部１６の後ろ側の領域が同右側の領域よりも緩やかな傾斜とされ、これにより、見出し部材１７の着脱作業が容易に行えるようになっている。
【００２２】
前記浮上防止片３６は、座部１６の上面に対し、前記設置片２２の厚みと略同一若しくは若干広い間隔をもって配置されており、浮上防止片３６と座部１６との間に設置片２２が差し込まれると、当該設置片２２の浮上が規制されるようになっている。また、浮上防止片３６は、受け面１５から座部１６の前端縁１６Ａ側の若干後方位置までの間に設けられ、当該前端縁１６Ａ付近には設けられていないため、設置片２２を浮上防止片３６と座部１６との間にスムースに挿入することができる。
【００２３】
以上のような見出し装着部１９に見出し部材１７を装着するには、図２に示されるように、先ず、見出し面２７を正面側に向けて設置片２２を座部１６の前端縁１６Ａ側から浮上防止片３６に沿って差し入れる。すると、設置片２２の先端が突起３４に干渉する。ここで、更に力を入れると、設置片２２及び突起３４が弾性変形して、設置片２２の先端が突起３４を乗り越え、「パチン」という音を立てて、図１０及び図１１に示されるように、設置片２２の貫通穴２５と突起３４が嵌り合うこととなる。この際、設置片２２は、浮上防止片３６と座部１６との間に挟まれることにより浮上が規制される。これによって、見出し部材１７は、安定した状態で見出し装着部１９に装着されることになる。また、見出し部材１７が見出し装着部１９に装着された状態では、見出し面２７が正面側に表出し、見出しカードＣの識別が正面側から可能になるとともに、見出し面２７が、各側壁１３，１３の前端縁１３Ａ間に配置されることとなって、外観上の体裁が良好に保持される。一方、見出し装着部１９に装着された見出し部材１７を取り外すときには、起立片２３を上方から摘んで手前側に引っ張り出せば、設置片２２及び突起３４が弾性変形して、貫通穴２５から突起３４が外れ、前述と逆の動作で見出し部材１７を取り外すことができる。なお、取り外された見出し部材１７は、後述するように、背面側の見出し収納部２０に収納しておけばよい。
【００２４】
前記見出し収納部２０は、図１２ないし図１４に示されるように、底壁１１の後端側に形成されたコーナー領域４０に沿ってその外側に設けられたコーナー枠部材４１によって区画されている。すなわち、見出し収納部２０は、コーナー枠部材４１とその内側に位置する底壁１１及び後壁１２部分とによって囲まれる領域に形成され、コーナー領域４０の外側に沿って前記見出し部材１７を収納すると、それが内部に略ぴったり収まるようになっている。
【００２５】
前記コーナー枠部材４１は、後壁１２の背面側に連なって各側壁１３，１３間に略直線状に延びる直線部材４４と、この直線部材４４の左右両端側から各側壁１３，１３の下部コーナーに沿って底壁１１の裏面側に延びる左右一対のＬ字部材４５と、これらＬ字部材４５，４５間に延びる部分湾曲部材４６（図１４参照）とから構成されている。この部分湾曲部材４６は、左右方向（図１４中上下方向）の略中央部に、外側つまり前部側に向かって略半円弧状に膨出する湾曲部４６Ａと、この湾曲部４６ＡとＬ字部材４５とを略直線状に結ぶ直線部４６Ｂとからなっている。従って、見出し収納部２０に見出し部材１７を収納すると、図１５に示されるように、その設置片２２と湾曲部４６Ａとの間に指掛け用の隙間Ｓが形成され、この隙間Ｓが、後述するように、見出し部材１７を見出し収納部２０から取り外すときの指掛け部位となる。
【００２６】
また、見出し収納部２０には、図１２等に示されるように、底壁１１の裏面側に、ガイドレール４９及び突起５０が設けられている。このガイドレール４９は、見出し収納部２０の左右両側二箇所にＬ字部材４５に沿って延び、見出し部材１７の設置片２２をガイドしながら底壁１１の裏面側に差し入れることができるようになっている。すなわち、ガイドレール４９は、見出し部材１７の挿入方向に向かって延びており、その下面４９Ａが各Ｌ字部材４５，４５の下面と略同一平面上に配置される一方、その上面４９Ｂと底壁１１との離間距離は、前記見出し部材１７の設置片２２の厚みと略同一若しくはやや幅広となるように設定されている。また、ガイドレール４９の後端４９Ｃは、面取りが施されるとともに、各Ｌ字部材４５，４５の後端よりも若干前方に配置されている。これによって、見出し収納部２０における底壁１１の裏面側に設置片２２を挿入する際に、当該設置片２２をガイドレール４９の上面４９Ｂにスムースに載せることが可能となる。
【００２７】
前記突起５０は、底壁１１の裏面における左右両側二箇所に形成され、見出し収納部２０に見出し部材１７を収納したときに、その設置片２２の穴２６，２６にそれぞれ嵌まり合う位置及び大きさに設けられている。
【００２８】
以上のような構成の見出し収納部２０に見出し部材１７を収納するには、図１２に示されるように、見出し部材１７を、その見出し面２７が背面側に表出する向きでコーナー枠部材４１の内側に向かって移動させ、設置片２２をガイドレール４９の上面４９Ｂに載せながら底壁１１の裏面側に差し込む。すると、設置片２２の先端が突起５０に干渉することとなるが、更に力を入れると、設置片２２及び突起５０の弾性変形により、設置片２２の先端が突起５０を乗り越え、「パチン」という音を立てて、図１５ないし図１７に示されるように、設置片２２の穴２６と突起５０が嵌まり合う。このようにして、見出し部材１７は、前記コーナー領域４０に略ぴったり沿って見出し装着部２０に収納され、外観上の体裁が良好に保持される。この際、見出し面２７が背面側に表出し、見出しカードＣを背面側からも識別可能となる。一方、見出し収納部２０に収納された見出し部材１７を取り外すときには、図１５に示されるように、ボックスファイル１０の裏面側に形成された隙間Ｓに、指を掛けながら、見出し部材１７を同図中矢印方向に強制的に引き抜けば、設置片２２の穴２６が底壁１１の突起５０から抜け、見出し部材１７を見出し収納部２０から取り出すことができる。
【００２９】
なお、前記後壁１２は、前記底壁１１と略同一の構成となっており、底壁１１と同様の作用を奏するため、ここでは、同一若しくは同等の構成部分について同一符号を用いるものとし、説明を省略することを了解されたい。また、前記側壁１３は、ボックスファイル１０の開放側縁に沿う領域が肉厚外縁部５２として形成されている。そして、この肉厚外縁部５２の両側端縁は底壁１１及び後壁１２の各座部１６に連なるようになっている。ここで、ボックスファイル１０を底壁１１或いは後壁１２側が机上等への設置部分となるように縦置きした場合には、底壁１１或いは後壁１２の座部１６と見出し収納部２０のコーナー枠部材４１とが机上等への実質的な接触部分となる。
【００３０】
従って、このような実施例によれば、ボックスファイル１０は、その開放側端部に、別体の見出し部材１７を装着可能な見出し装着部１９が設けられるとともに、背面側に見出し部材１７を収納可能な見出し収納部２０が設けられているため、見出し部材１７をボックスファイル１０と一体的に成形する必要がなくなり、生産効率の飛躍的向上を図ることができるとともに、見出し装着部１９に見出し部材１７を装着しないときに、その紛失の虞を確実に低減することができるという効果を得る。
【００３１】
なお、本発明においては、一対の側壁１３，１３を備えたボックスファイル１０を図示、説明したが、底壁１１及び後壁１２の横幅を図示構成例よりも広く形成しておき、これを左右方向において複数の収納区分に仕切ることのできる三以上の側壁を設けたボックスファイルとしてもよい。そして、これらの各収納空間に対応して底壁１１及び後壁１２部分に見出し装着部１９を形成することができる。
【００３２】
また、前記底壁１１に相対する頂壁を設け、一端開放型の直方体形状を有するボックスファイルも採用することができる。この場合、頂壁も反転した状態では底壁として作用し得るため、開放側となる頂壁の正面側部分にも見出し装着部１９を設けることができる。この際、頂壁の背面側部分に見出し収納部２０を設けるとよい。
【００３３】
更に、見出し部材１７を見出し装着部１９或いは見出し収納部２０に保持させるための穴２５，２６と突起３４，５０は、前述と逆に、突起３４，５０を見出し部材１７側に設ける一方、穴２５，２６を見出し装着部１９、見出し収納部２０側に設けてもよい。
【００３４】
【発明の効果】
以上説明したように、本発明によれば、ベース部の前端側に、別体の見出し部材を装着可能な見出し装着部が設ける一方、ベース部の後端側に、前記見出し部材を収納可能な見出し収納部を設けたから、ボックスファイルを一体的に成型し易くなる他、不要となっている見出し部材を見出し収納部に収納することができ、見出し部材の紛失を防止することができる。
【００３５】
また、見出し部材を、見出し装着部に装着されたときに見出し面が正面側に表出可能に設ける一方、見出し収納部に収納されたときに見出し面が背面側に表出可能に設けたから、ボックスファイルの背面側にも見出し効果を付与させることができる。
【００３６】
更に、見出し部材を、見出し装着部に設置される設置片と、この設置片の一端縁側から起立する方向に延びるとともに、見出し面が形成された起立片とによって構成し、ベース部の前端側に落ち込んだ座部を見出し装着部とし、座部に前記設置片が設置されると、前記ベース部上に所定の間隔をもって相対する側壁の前端間に前記起立片が配置される構成としたから、見出し部材が装着された状態では、起立片を側壁から突出することなく装着できるとともに、設置片の上面を、収納対象物の載置面として利用することができ、見出し部材の不用意な脱落を防止することができる。
【００３７】
また、前記見出し収納部に、前記見出し部材の挿入方向に延びるガイドレールを設け、このガイドレールに沿って前記見出し部材が見出し収納部に差し込み可能に設けたから、見出し部材を見出し収納部にスムースに挿入することができる。
【００３８】
更に、前記見出し部材に、見出し面に所定の見出しカードを着脱自在に保持するカード挿入部を形成し、このカード挿入部に、前記見出し面の反対側に通じる指掛け穴を設け、前記見出しカードがカード挿入部に挿入されると、前記見出し面側から指掛け穴が隠蔽される構成としたから、カード挿入部に挿入された見出しカードの取り外しを指掛け穴で容易に行うことができるとともに、見出しカードの装着時における見出し部材の外観上の体裁を良好に保持することができる。
【図面の簡単な説明】
【図１】本実施例におけるボックスファイルの概略斜視図。
【図２】見出し装着部を見出し部材とともに示す概略拡大斜視図。
【図３】見出し部材の概略拡大斜視図。
【図４】（Ａ）は貫通穴を含む図３の断面側面図であり、（Ｂ）は穴を含む図３の断面側面図である。
【図５】見出し部材の拡大正面図。
【図６】見出し部材の拡大背面図。
【図７】見出し装着部の拡大正面図。
【図８】見出し装着部の拡大平面図。
【図９】見出し装着部の拡大断面側面図。
【図１０】見出し部材が装着された状態を示す見出し装着部の部分断面正面図。
【図１１】見出し部材が装着された状態を示す見出し装着部の拡大断面側面図。
【図１２】見出し収納部を見出し部材とともに示す概略拡大斜視図。
【図１３】見出し収納部の拡大背面図。
【図１４】見出し収納部の拡大底面図。
【図１５】見出し部材が収納された状態を示す見出し収納部の拡大底面図。
【図１６】見出し部材が収納された状態を示す見出し収納部の部分断面背面図。
【図１７】見出し部材が収納された状態を示す見出し収納部の拡大断面側面図。
【符号の説明】
１０  ボックスファイル
１１  底壁（ベース部）
１２  後壁（ベース部）
１３  側壁
１５  受け面
１６  座部
１７  見出し部材
１９  見出し装着部
２０  見出し収納部
２２  設置片
２３  起立片
２７  見出し面
３０  カード挿入部
３３  指掛け穴
３６  浮上防止片（浮上防止手段）
４０  コーナー領域
４１  コーナー枠部材
４９  ガイドレール
【図１】
0003684423.tif 000002
【図２】
0003684423.tif 000003
【図３】
0003684423.tif 000004
【図４】
0003684423.tif 000005
【図５】
0003684423.tif 000006
【図６】
0003684423.tif 000007
【図７】
0003684423.tif 000008
【図８】
0003684423.tif 000009
【図９】
0003684423.tif 000010
【図１０】
0003684423.tif 000011
【図１１】
0003684423.tif 000012
【図１２】
0003684423.tif 000013
【図１３】
0003684423.tif 000014
【図１４】
0003684423.tif 000015
【図１５】
0003684423.tif 000016
【図１６】
0003684423.tif 000017
【図１７】
0003684423.tif 000018